(57)【要約】      （修正有）【課題】釣り人の嗜好に沿って、釣り人にとって機能的にもデザイン的にも使い勝手の良いものを標準品として装着されているハンドルと交換して、フレキシブルにハンドルピッチ（長さ）を選択出来る釣り用リールのハンドルを提供する。【解決手段】リール本体に取り付けられるボルト１と、前記ボルト１とリール本体との間に結合軸４をリール本体側にして介在されるアーム３と結合軸４とを少なくとも備えており、前記結合軸４の前記アーム３と当接する当接面５には、前記アーム３の空転を阻止するとともに前記アーム３に形成された長溝７内を前記結合軸４が摺動する時のガイドとなる突起部８が設けられるとともに前記ボルト１が螺着するネジ部１０を設けた。【選択図】図１
0003182198.tif 000002
【実用新案登録請求の範囲】
【請求項１】
リール本体に着脱自在に取り付けられるハンドルは、前記リール本体に取り付けられる結合軸と、前記結合軸にボルトにより取り付けられるアームと、前記アームの自由端に取り付けられたノブとを備えており、前記結合軸の前記アームと当接する当接面には、前記アームの空転を阻止するとともに前記アームに形成された長溝内を前記結合軸が摺動する時のガイドとなる突起部が設けられるとともに前記ボルトが螺着するネジ部が設けられており、前記突起部を前記アームの長溝に挿入し、前記ボルトを前記アームに挿入して前記ボルトにより前記アームを前記結合軸に螺着した事を特徴とするリールのハンドル。
【考案の詳細な説明】
【技術分野】
【０００１】  本考案は、釣り用リールのハンドルに関するものである。
【背景技術】
【０００２】  釣り用のリールには購入時にリールメーカー標準のハンドルが取り付けられているが、釣り人によっては、その標準ハンドルが感触・指とのフィット感・振動により伝わってくる感度等の機能面・デザイン面に気に入らない場合があり、気に入ったものに取り替えたいとの要求がある。【０００３】従来、釣り人の要求に応じて釣り用リールのハンドルを独自に開発・販売して使い勝手の良い釣り用リールのハンドルを釣り人に提供しようとした場合、ハンドルピッチ（長さ）を固定して、複数のハンドルピッチ（長さ）違いのタイプを提供しユーザーは複数のハンドルピッチ（長さ）違いの選択肢の中から選択する必要があり、用途によりハンドルピッチ（長さ）違いが必要となれば、複数本購入する必要があった。
【先行技術文献】
【特許文献】
【０００４】
【特許文献１】特開２０１０−２２６９７７号公報
【考案の概要】
【考案が解決しようとする課題】
【０００５】  釣り人の嗜好に沿って、釣り人にとって機能面にもデザイン面にも使い勝手の良いものを、標準品として装着されているハンドルと交換して、ハンドルピッチ（長さ）をユーザーの好みに合わせて、フリキシブルに可変させる事が出来る釣り用リールのハンドルを提供することにある。
【課題を解決するための手段】
【０００６】  本考案のリール本体に着脱自在に取り付けられるハンドルは、前記リール本体に取り付けられる結合軸と、前記結合軸にボルトにより取り付けられるアームと、前記アームの自由端に取り付けられたノブとを備えており、前記結合軸の前記アームと当接する当接面には、前記アームの空転を阻止するとともに前記アームに形成された長溝内を前記結合軸が摺動する時のガイドとなる突起部が設けられるとともに前記ボルトが螺着するネジ部が設けられており、前記突起部を前記アームの長溝に挿入し、前記ボルトを前記アームに挿入して前記ボルトにより前記アームを前記結合軸に螺着した事を特徴とする。
【考案の効果】
【０００７】  本考案のリール本体に着脱自在に取り付けられるハンドルは、前記リール本体に取り付けられる結合軸と、前記結合軸にボルトにより取り付けられるアームと、前記アームの自由端に取り付けられたノブとを備えており、前記結合軸の前記アームと当接する当接面には、前記アームの空転を阻止するとともに前記アームに形成された長溝内を前記結合軸が摺動する時のガイドとなる突起部が設けられるとともに前記ボルトが螺着するネジ部が設けられており、前記突起部を前記アームの長溝に挿入し、前記ボルトを前記アームに挿入して前記ボルトにより前記アームを前記結合軸に螺着した事を特徴とするものであり、釣り人の要求に応じて釣り用リールのハンドルピッチ（長さ）を独自に開発・販売して使い勝手の良い釣り用リールのハンドルを釣り人に提供しようとした場合、ハンドルピッチ（長さ）の違う物を製造、在庫、販売しなければならなかったが、ボルトを緩めてアームと結合軸の位置をずらせるだけで、１種類のハンドルで複数のハンドルピッチに対応出来る事により、メーカーでの製造管理、販売店の在庫の種類を最小限にすることが出来、またユーザーも用途に応じて複数本購入する種類が最小限になるという効果がある。
【図面の簡単な説明】
【０００８】
【図１】図１は、本考案のリールハンドル分解斜視図である。
【図２】図２は、本考案のリールハンドル分解断面図である。
【図３】図３は、本考案のリールハンドル動作説明図である。
【図４】図４は、本考案のリールハンドル動作説明図である。
【考案を実施するための形態】
【０００９】以下、本考案の一実施形態の釣り用リールのハンドルの実施例を図１〜図４を参照して説明する。リール本体（図示せず）にハンドルＨは、着脱自在に取り付けられている。ハンドルＨは、リール本体に取り付けられる結合軸４と、結合軸４にボルト１により取り付けられるアーム３と、アーム３の自由端に取り付けられたノブ８とを備えている。
【００１０】  図３・図４の動作説明図の様に、結合軸４の当接面５から突出して前記アームの空転を阻止する空転阻止部６になるとともにアーム３に形成された長溝７内を前記結合軸４が摺動する時のガイドとなる突起部８が設けられ、ボルト１を緩めアーム３を摺動する事により、中心軸Ｓからノブ９との距離を変える事が可能になる。突起部８は、実施例では四角形条のものを示しているが、長溝７内を前記結合軸４が摺動する時のガイドとなる平行な２辺があればよいものであり、６角形、８角形であっても構わないものである。
【００１１】  本考案のハンドルは、結合軸４の当接面５から突出している空転阻止部６とアーム３に形成された長溝７内を前記結合軸４が摺動する距離を４０ｍｍ（図３）〜４３ｍｍ（図４）と３ｍｍ動かすと図３・図４で示したが、長溝の長さを伸ばす事により摺動する距離は自由に設定出来るものである。
【００１２】  結合軸４は、アーム３と当接する当接面５には、前記アーム３の空転を阻止するとともに前記アーム３に形成された長溝７内を前記結合軸４が摺動する時のガイドとなる四角形状の突起部８が設けられているが、長溝７内を前記結合軸４が摺動する時のガイドとなる平行な２辺があればよいものであり、６角形、８角形であっても構わないものである。
【００１３】  結合軸４は、摺動する時のガイドとなる突起部８が設けられるとともに前記ボルト１が螺着するネジ部１０が設けられている。
【００１４】アーム３には、ボルト１が挿入され緩み止め効果が有るＯリング１１が挿入される長溝７に傾斜した凹所１２が形成されている。
【００１５】アーム３と結合軸４は、摺動面のカジリ防止の為、表面に硬質アルマイト処理を施こされている。
【００１６】  本考案のハンドルは、ジェラルミン製の結合軸４と、アーム３に回動自在に取り付けられた中空のノブ９とで構成されており、前記結合軸４の前記アーム３と当接する当接面５には、前記アーム３の空転を阻止するとともに前記アーム３に形成された長溝７内を前記結合軸４が摺動する時のガイドとなる突起部８が設けられており、前記アーム３を摺動する事により中心軸Ｓからノブ９との距離を変える事が可能になる。ノブ９の構造によって、巻き心地・感触・指とのフィット感・振動により伝わってくる感度等の機能面に変化があり、実際にハンドルを回転させないと、自分の嗜好に合っているかが判らないものである。
【００１７】  アーム３の色が２色、ノブ９の色が４色、ハンドル長さが２種類有り従来では１６種類あったのが、本考案により、ハンドルピッチ（長さ）をフレキシブルに選択出来、長さが１種類、全８種類の少ない在庫で今までより幅広い要望に対応可能になる
【００１８】  アーム３は、ノブ９が一つ具備したスピニング用のシングルハンドルのもので説明したが、ノブが一つ具備したベイトリール用ハンドルに本考案を採用しても構わないものである。
【符号の説明】
【００１９】１                ボルト
２                座金
３                アーム
４                結合軸（スカート）
５                当接面
６                空転阻止部
７                長溝
８                突起部
９                ノブ
１０              ネジ部
１１              Ｏリング
１２              凹所
【図１】
0003182198.tif 000003
【図２】
0003182198.tif 000004
【図３】
0003182198.tif 000005
【図４】
0003182198.tif 000006